(57)【要約】【課題】アングルの取り付けと取り外しを容易に行える。【解決手段】引き違い窓は、枠体内に外障子８と内障子７を納めた。下枠３の金属下枠１９の屋内側端部に屋内側壁面１９ａを設けて、屋内側壁面１９ａと額縁２２の間に間隙Ｋを形成した。間隙Ｋを挟んで屋内側壁面１９ａと額縁２２上に下部樹脂アングル２４を設置して基部を固定ボルト４５で額縁２２に固定した。間隙Ｋ内には、屋内側壁面１９ａに設けた係合受け部１９ｃに下部樹脂アングル２４に形成した係止片４８を係合させた。係止片４８の屋内側に設けた当接片４９は湾曲させて屋内側壁面１９ａに当接させた。固定ボルト４５を外して、下部樹脂アングル２４の屋外側の先端を引き上げると当接片４９が弾性変形して係止片４８を外すことができる。【選択図】図４
2020073787.tif 000002
【特許請求の範囲】
【請求項１】
障子を納める枠体と、
前記枠体及び屋内側部材の間に形成された間隙に設置したアングルと、
を備えていて、前記間隙内には、前記枠体と前記アングルの一方に設けた係止部と他方に設けた係合受け部とを互いに係合して配設したことを特徴とする建具。
【請求項２】
前記アングルは該アングルに設けた係止部または係合受け部の見込み方向屋内側に前記係止部または係合受け部を囲うように延びた弾性変形可能な当接部を備えた請求項１に記載された建具。
【請求項３】
前記アングルは樹脂製であり、該アングルに設けた係止部または係合受け部の見込み方向屋内側に前記係止部または係合受け部を囲うように延びる当接部を備えた請求項１に記載された建具。
【請求項４】
前記アングルの屋外側端部にヒレ部を設けた請求項１から３のいずれか１項に記載された建具。
【請求項５】
前記枠体と障子の一方に他方に当接する気密材を設けた請求項１から４のいずれか１項に記載された建具。
【発明の詳細な説明】
【技術分野】
【０００１】
本発明は、枠体とアングルを固定した建具に関する。
【背景技術】
【０００２】
従来、建具において、枠体を額縁等の躯体に連結するアングル構造として次の２種類のものが知られている。
例えば特許文献１に記載されたアングル付きのサッシ枠では、下枠と額縁との間に小さな間隙が形成されている。この間隙内に断面略Ｌ字状でアルミ合金の押出形材からなるアングル材の一方の取付片が挿入されてネジで枠体に固定されている。アングル材の他方の取付片は額縁の上面にネジで固定されている。そして、アングル材の他方の取付片の上面にカバー材を載置して枠体の上端と額縁との間に嵌合して隠している。
【０００３】
また、図７に示す他の構造のアングル付きのサッシ枠１００では、アルミ合金製の下枠１０１と額縁１０２とを当接させて、額縁１０２から下枠１０１の一段下がった面上の内障子走行用のレール１０３との間に階段形状で樹脂製のアングル１０４を設置している。
アングル１０４は、額縁１０２上で一端部をネジ止めすると共に、アングル１０４の下段の両端部を下枠１０１の屋内側壁面とレール１０３の付け根との２カ所の係止部に係止して固定している。
しかも、内障子１０６の下框に設けたシール部材１０５はレール１０３より外側に設定されていて先端がレール１０３に当接して気密にシールしている。
【先行技術文献】
【特許文献】
【０００４】
【特許文献１】特許第４８７１５７０号公報
【発明の概要】
【発明が解決しようとする課題】
【０００５】
しかしながら、上述した特許文献１に記載されたサッシ枠のアングルは、間隙に挿入された一方の取付片が枠体にネジ止めされているために、設置後にアングルが割れたり損傷したりした場合でも取り外すことができなかった。
【０００６】
また、後者のサッシ枠のアングル１０４は、アングル１０４の下段の両端部を下枠１０１の屋内側壁面とレール１０３の付け根との２カ所の係止部で固定しているため、取り付け後に係止部を取り外すことが困難であった。そのため、アングル１０４の取り付け使用後にアングル１０４が割れたり損傷したりした場合に取り外しや交換が困難であった。
【０００７】
本発明は、このような課題に鑑みてなされたものであって、アングルの取り付けと取り外しを容易に行える建具を提供することを目的とする。
【課題を解決するための手段】
【０００８】
本発明による建具は、障子を納める枠体と、枠体及び屋内側部材の間に形成された間隙に設置したアングルとを備えていて、間隙内には、枠体とアングルの一方に設けた係止部と他方に設けた係合受け部とを互いに係合して配設したことを特徴とする。
本発明によれば、枠体と屋内側部材の間の間隙の上にアングルを設置して間隙内で枠体とアングルに設けた係止部と係合受け部を係合させることでアングルを枠体に取り付けることができる上に、アングルを引っ張ることで係止部と係合受け部の係合を離脱させて取り外しできる。
なお、アングルは樹脂アングルと金属アングルのいずれでもよいが、樹脂アングルを用いれば熱伝導率を小さくして結露を低減できる。
【０００９】
また、アングルに形成した係止部または係合受け部の見込み方向屋内側に間隙内に延びて枠体または屋内側部材に当接する弾性変形可能な当接部を備えたことが好ましい。
枠体に係合固定したアングルは枠体に係合された係止部または係合受け部とは別にその見込み方向屋内側に枠体または屋内側部材の壁面に当接する当接部を設けているため、当接部によって断熱性を高めることができる。しかも、アングルの取り外しに際して枠体側のアングルを引き離すと当接部が弾性変形して係止部と係合受け部を離脱させることができるので取り外しが容易であり、アングルが損傷した場合でも容易に取り外すことができる。
【００１０】
また、アングルは樹脂製であり、該アングルに設けた係止部または係合受け部の見込み方向屋内側に係止部または係合受け部を囲うように延びる当接部を備えてもよい。
樹脂製アングルを設けることで断熱層を形成することができて結露を低減できる。
【００１１】
また、アングルの屋外側端部にヒレ部を設けてもよい。
これにより、アングルに設けたヒレ部を障子に当接させることで気密性を向上できる。
また、枠体と障子の一方に他方に当接する気密材を設けてもよく、例えばビル等で気密性を向上できる。
【発明の効果】
【００１２】
本発明による建具では、枠体と屋内側部材の間隙内で枠体とアングルの係止部と係合受け部を係合させることでアングルを枠体に固定できる上に、係止部と係合受け部が枠体の屋内側の間隙内に位置するために、アングルを引っ張ることで係止部と係合受け部の係合を離脱させて取り外しできる。そのため、枠体に対するアングルの取り付けと取り外しが容易である。
【図面の簡単な説明】
【００１３】
【図１】本発明の実施形態による引き違い窓の要部縦断面図である。
【図２】図１に示す引き違い窓の要部水平断面図である。
【図３】図１に示す引き違い窓の上部拡大断面図である。
【図４】図１に示す引き違い窓の下部拡大断面図である。
【図５】図４に示す下枠と下部樹脂アングルとの配置構成を示す要部拡大断面図である。
【図６】図５において、下部樹脂アングルを取り外す状態を示す図５と同様な断面図である。
【図７】従来の下枠と額縁と下部樹脂アングルの配置構成を示す要部断面図である。
【発明を実施するための形態】
【００１４】
以下、本発明の実施形態による複合建具の一例としての引き違い窓について添付図面により説明する。
本発明の実施形態による引き違い窓１を図１から図６に基づいて説明する。
図１及び図２に示す実施形態による引き違い窓１は、上枠２と下枠３と左右の縦枠４とで四角形枠状に形成された枠体５内に内障子７と外障子８が見込み方向に納められている。内障子７と外障子８はそれぞれ上框１０と下框１１と左右の縦框１２、１３とで四角形枠状に形成され、その内部に例えばペアガラス等の複層ガラス９が納められている。
図１及び図３において、枠体５の上枠２は主として金属上枠１５で形成され、その屋内側の面に樹脂製の上部樹脂アングル１６が連結されている。金属上枠１５はその上面部をなす基部１５ａの見込み方向にみて屋外側端部から垂下する屋外側垂下片部１５ｂと中間部から垂下する中間レール部１５ｃと屋内側端部から垂下する屋内側垂下片部１５ｄとを有している。
【００１５】
中間レール部１５ｃにはその屋内側に断面略櫛形をなす中間樹脂枠１７が連結され、屋内側垂下片部１５ｄにはその屋外側の面に略板状の内側樹脂枠１８が当接されている。しかも中間樹脂枠１７と内側樹脂枠１８は樹脂製の連結板１４によって接続されて基部１５ａに係合されている。金属製の屋内側垂下片部１５ｄは内側樹脂枠１８と上部樹脂アングル１６によって屋内外の面ａ１，ａ２を囲われている。
そして、屋外側垂下片部１５ｂと中間レール部１５ｃとの間に外障子８が走行可能に保持されている。中間レール部１５ｃと屋内側垂下片部１５ｄとの間にも内障子７が走行可能に保持されている。
また、図１及び図４において、下枠３は主として金属下枠１９で形成されており、金属下枠１９の見込み方向に見て屋外側領域に外側レール２０が形成され、屋内側領域には内側レール２１が形成されている。外側レール２０には外障子８の図示しない戸車が走行可能に載置され、内側レール２１には内障子７の戸車が走行可能に載置され、それぞれ外障子８と内障子7の荷重を受けている。金属下枠１９の屋内側端部には図４に示す木製の額縁２２との間に断面略Ｌ字形状で樹脂製の下部樹脂アングル２４が取り外し可能に設置されている。
【００１６】
また、図２において、左右の縦枠４は主として金属縦枠２５で形成され、左側の金属縦枠２５の屋内側に複数のホロー部を形成した樹脂縦枠２６が連結され、右側の金属縦枠２５の屋内側には上部樹脂アングル１６と同様な構成を備えた側部樹脂アングル２７が連結されている。
また、外障子８と内障子７は、複層ガラス９の四辺の框部が上框１０、下框１１、左右の縦框１２，１３で構成されている。複層ガラス９はグレージングチャンネルを介して金属上框１０ａ、金属下框１１ａ、左右の金属縦框１２ａ、１３ａにそれぞれ設けたガラス受け部３４で四辺の側縁部を支持されている。これら金属框の屋内側を樹脂上框１０ｂ、樹脂下框１１ｂ、左右の樹脂縦框１２ｂ、１３ｂでそれぞれ覆っている。
なお、金属上枠１５、金属下枠１９、左右の金属縦枠２５、金属上框１０ａ、金属下框１１ａ、左右の金属縦框１２ａ、１３ａは例えばアルミ合金製である。
【００１７】
次に図３により上枠２の金属上枠１５と内障子７の上框１０との間の気密構造と断熱構造について説明する。金属上枠１５の屋内側端部に形成した屋内側垂下片部１５ｄは基部１５ａから垂下されており、その下端部の屋外側の面ａ２には受け部３５が形成されている。この受け部３５には気密材として例えば弾性を有するアルミ合金製のシール部材３６が嵌合しており、その先端は内障子７の金属上框１０ａの屋内側に形成した面部１０ａａに当接して気密にシールしている。
なお、気密材としてアルミ合金等の金属に代えてゴム等の弾性部材を用いてもよい。また。屋内側垂下片部１５ｄの屋内側の面ａ２には係合受け部３７が形成されている。
【００１８】
また、金属上枠１５の屋内側垂下片部１５ｄに係合された樹脂製の上部樹脂アングル１６は、段付き部１６ａを備えた本体部１６ｂを有し、その先端片１６ｃが屋内側垂下片部１５ｄの下端に当接して覆っている。
更に、上部樹脂アングル１６は、段付き部１６ａの近傍先端側に基部が屋内側垂下片部１５ｄに当接すると共に先端側が屋内側に屈曲して係合受け部３７に係合可能な係止片３８(係止部)を有する。更に、上部樹脂アングル１６は、本体部１６ｂから上方に延びていて係止片３８を囲うように先端側で屈曲または湾曲して屋内側垂下片部１５ｄに当接する当接片３９(当接部)を形成している。
また、段付き部１６ａの角部には屋外側即ち内障子７の上框１０に向かって延びる軟質樹脂からなるヒレ部４０が連結または一体形成されている。ヒレ部４０の軟質樹脂は他の樹脂よりも軟質で弾性変形可能に形成されており、内障子７の上框１０に当接している。
内障子７を走行させるとヒレ部４０が当接した状態で変位し、気密状態を維持する。
なお、ヒレ部４０は他の樹脂と同様に比較的硬質の樹脂で形成してもよく、この場合には内障子７の上框１０と非接触で近接することが気密を保持するために好ましい。
【００１９】
一方、内障子７の上框１０には、金属上框１０ａの屋内側端部は例えば鉛直に延びる面部１０ａａが、上部樹脂アングル１６のシール部材３６に当接して気密にシールしている。シール部材３６と面部１０ａａとで外気の屋内への通気を阻止する気密ラインを構成する。
また、金属上框１０ａに屋内側で連結された樹脂上框１０ｂは、ヒレ部４０が当接する部分が例えば平面状をなす屋内側鉛直部１０ｂａを形成している。更に、その下方部分は屋内側に向かって拡幅するように傾斜するテーパ部１０ｂｂを形成し、更にその下方側には先端に突起部を有する凹部１０ｂｃを形成している。
なお、樹脂上框１０ｂは内障子７を枠体５から屋内側に外す際に上枠２に当接して損傷しないように軟質樹脂で形成してもよい。
【００２０】
そのため、上部樹脂アングル１６の段付き部１６ａと先端片１６ｃとヒレ部４０とで、屋外側から伝達される冷気を断熱する断面略コの字状の断熱層４２を構成し、断熱ラインを構成する。また、屋内側垂下片部１５ｄの面ａ１，ａ２に付着した結露がその面ａ１，ａ２に沿って降下した場合でも断熱層４２によって保持することができる。更にこの断熱層４２から結露水が軟質のヒレ部４０を経由して樹脂上框１０ｂに流れ落ちても凹部１０ｂｃで貯留することができる。断熱層４２において、先端片１６ｃは上框１０に非接触でヒレ部４０は接触しているが、ヒレ部４０も非接触でもよく上框１０に近接する位置に延びていればよい。
そして、樹脂上框１０ｂは凹部１０ｂｃから垂直面またはわずかに傾斜して降下する面と複層ガラス９側に傾斜する逆テーパ面１０ｂｄとを有している。これによって凹部１０ｂｃをあふれ出た結露水は樹脂上框１０ｂに沿って流れて逆テーパ面１０ｂｄから複層ガラス９上に流れ落ちるため、室内に落下しない。
【００２１】
なお、図１及び図３において上枠２の金属上枠１５における中間レール部１５ｃの屋外側にも外障子８の上框１０に当接する気密材としてシール部材３６Ａが設置されており、気密ラインを構成している。
また、中間レール部１５ｃの屋内側に連結した中間樹脂枠１７は、上述した屋内側垂下片部１５ｄに取り付けた上部樹脂アングル１６と同様な構成を有している。即ち、中間レール部１５ｃの屋内側に連結した中間樹脂枠１７も先端片１７ａが中間レール部１５ｃの下端部に当接することで屋内側と先端を囲っている。中間樹脂枠１７の先端片１７ａと傾斜段部と軟質樹脂製のヒレ部４０Ａとによって断面略コの字状の断熱層４２Ａを形成し、断熱層４２Ａによって断熱ラインを構成している。
また、外障子８の金属上框１０ａに取り付けた樹脂上框１０ｂにおいて、内障子７に設けた樹脂上框１０ｂと同様に、ヒレ部４０Ａが当接する屋内側鉛直部１０ｂａ、テーパ部１０ｂｂ、凹部１０ｂｃ、凹部１０ｂｃから垂直またはわずかに傾斜して降下する面と逆テーパ面１０ｂｄとを有している。
【００２２】
次に下枠３の金属下枠１９と額縁２２との間に設けた下部樹脂アングル２４について図４乃至図６により説明する。
下部樹脂アングル２４は上述した上部樹脂アングル１６と略同一の構成を有している。
金属下框１１ａは屋内側端部で樹脂下框１１ｂとの係合部の更に下側に延びていて屈曲する下部枠１１ａａを形成している。金属下枠１９の屋内側端部に設けた屋内側壁面１９ａは上下方向に延びており、上端部で下部枠１１ａａと水平方向に重なっていて、その屋外側に受け部１９ｂが形成されている。屋内側壁面１９ａの屋内側には係合受け部１９ｃが形成されている。
そして、この受け部１９ｂに嵌合するアルミ合金製またはゴム製等の弾性部材からなるシール部材４４が金属下框１１ａの下部枠１１ａａに当接しており、冷気の屋内側への通気を阻止する気密材を構成する。
【００２３】
また、金属下枠１９の屋内側壁面１９ａと額縁２２との間には小さな間隙Ｋが形成され、その上部に下部樹脂アングル２４が設置されている。下部樹脂アングル２４は略平板状に形成されていてその基部は固定ボルト４５によって額縁２２の段部に固定され、先端は屋内側壁面１９ａの上端に載置されて先端に形成した弾性を有する軟質樹脂製のヒレ部４６が金属下枠１９に設けた下部枠１１ａａに当接している。
下部樹脂アングル２４には、ヒレ部４６の近傍で間隙Ｋ内の下方に向けて係合受け部１９ｃに係合可能な係止片４８(係止部)が爪部として形成され、更にその額縁２２側には間隙Ｋ内の下方に延びていて先端側で屈曲または湾曲して金属下枠１９の屋内側壁面１９ａに当接する当接片４９(当接部)を形成している。
【００２４】
そのため、下部樹脂アングル２４は固定ボルト４５と係止片４８によって額縁２２と金属下枠１９に係止されている。しかも係止片４８は屋内側壁面１９ａの屋内側に設けられているため、固定ボルト４５を額縁２２から外して下部樹脂アングル２４のヒレ部４６側の先端を引き上げると、当接片４９が弾性変形することで係止片４８が係合受け部１９ｃから外れるため取り外すことができる。そのため、下部樹脂アングル２４は着脱交換可能である。
また、上述した上部樹脂アングル１６、中間樹脂枠１７も下部樹脂アングル２４と概略で同一構成を備えている。即ち、下部樹脂アングル２４では、先端片１６ｃを引き下げると当接片３９が弾性変形して係止片３８を係合受け部３７から離脱させて着脱交換できる。中間樹脂枠１７も先端片１７ａを引き下げると基部１５ａに設けた係合受け部と係合部が外れて交換可能である。
また、外障子８の金属下框１１ａと金属下枠１９の当接部分には、金属下枠１９に形成された受け部１９ｄに嵌合するアルミ合金製またはゴム製等の弾性部材からなるシール部材４４Ａが金属下框１１ａに当接しており、シール部材４４Ａは冷気の屋内側への通気を阻止する気密材を構成する。
【００２５】
本実施形態による引き違い窓１は上述した気密及び断熱構造を備えており、次にその作用を説明する。
図１及び図２に示す引き違い窓１は例えば中層階や高層階等のビルディングに設置されているものとする。引き違い窓１の外障子８と内障子７の閉鎖状態において、内障子７側では、低温の外気が、上枠２の中間レール部１５ｃ及び中間樹脂枠１７と内障子７の上框１０との間の空間を流れて屋内側に流入する。
そして、外気は屋内側の金属上枠１５と内障子７の上框１０との隙間を通って屋内側垂下片部１５ｄ側に流れる。ここでは、屋内側垂下片部１５ｄに設けたシール部材３６が内障子７の金属上框１０ａに当接することで気密シールできるので、外気がシール部材３６を超えて屋内側に流れることを阻止する。
【００２６】
また、屋内側垂下片部１５ｄと内障子７の上框１０との間に流入する一部の外気が屋内側垂下片部１５ｄを冷却して下方に向けて冷気を伝達する。この場合、上部樹脂アングル１６の先端には断面略コの字状の断熱層４２が形成されているために、上部樹脂アングル１６を通した低温の伝達や屋内側への冷気の流入が阻止され、或いは低減できる。
しかも、図３に示すように、屋内側垂下片部１５ｄは屋外側の内側樹脂枠１８と屋内側の上部樹脂アングル１６によって先端と両面ａ１，ａ２を囲われているため、表面温度が高く結露を抑制できる。特に、屋内側垂下片部１５ｄの先端と屋内側は、上部樹脂アングル１６の断熱層４２と当接片３９が屋内側垂下片部１５ｄの屋内側の面ａ１を覆うために断熱効果を発揮して、屋内への冷気の伝達を抑制すると共に屋内側垂下片部１５ｄの屋内側の面ａ１に結露が生じることを低減できる。
しかし、一部の冷気は内側樹脂枠１８を回り込んで屋内側垂下片部１５ｄに接触することで、屋内側垂下片部１５ｄの内外の面ａ１，ａ２に結露が生じることがある。この場合でも、屋内側垂下片部１５ｄは上部樹脂アングル１６の当接片３９で覆われており、屋内側に露出しないので屋内の人が目視できない。
【００２７】
そして、低温によって屋内側垂下片部１５ｄの面ａ１，ａ２が結露して一部の結露水が水滴になって下方に流れたとしても、断面コの字状の断熱層４２のヒレ部４０で結露水を受け止めて保水することができ、結露水の落下を抑制できる。
また、断熱層４２に保水された結露水がその重みでヒレ部４０を経由して下方に流れる場合には、樹脂上框１０ｂにおける屋内側鉛直部１０ｂａからテーパ部１０ｂｂを流れて突起を有する凹部１０ｂｃに貯留される。これによっても結露水が屋内側を落下することを防止できる。
更に凹部１０ｂｃを結露水が溢れたとしても、この結露水は床面等に落下することなく、樹脂上框１０ｂの凹部１０ｂｃの略鉛直の面から逆テーパ面１０ｂｄを経由して複層ガラス９の表面に流れ落ちる。そのため、結露水の一部が内障子７の屋内側で樹脂上框１０ｂから複層ガラス９を通って下方に流れたとしても目立たない。
【００２８】
また、金属上枠１５の屋外側垂下片部１５ｂと外障子８の上框１０との間を冷気が進入した場合でも、内障子７の場合と同様に断熱できる。即ち、外障子８の屋内側に設けた金属上枠１５の中間レール部１５ｃと外障子８の金属上框１０ａとの間に当接させたシール部材３６Ａによって内障子７の上框１０との間で気密ラインを構成する。そのため、外気はシール部材３６Ａによって屋内側への進入を阻止される。
【００２９】
更に、中間樹脂枠１７は先端片１７ａが中間レール部１５ｃの先端に当接して覆い、先端片１７ａとヒレ部４０Ａによる断面略コの字状の断熱層４２Ａを備えているため外気の屋内側への伝達を低減または阻止できる。
しかも、断熱層４２Ａに加えて、中間レール部１５ｃの屋内側の面は中間樹脂枠１７で囲われているために表面温度を向上でき、冷気による結露を阻止できる。仮にわずかに結露が生じたとしても、中間樹脂枠１７で覆われているために屋内側に露出せず室内から目視できない。そして、中間レール部１５ｃの屋外側の表面に結露が生じた場合、結露水が降下しても断熱層４２Ａで結露水の貯留を行えるため、落下を阻止できる。
また、断熱層４２Ａで貯留された結露水の一部がヒレ部４０Ａから降下した場合でも、同様に、流れ落ちる結露水を樹脂上框１０ｂの凹部１０ｂｃに貯留でき、更には複層ガラス９に沿って流れ落とすことができる。
なお、上部樹脂アングル１６を屋内側垂下片部１５ｄに係止させ、中間樹脂枠１７を中間レール部１５ｃに係止させることで、熱によって上部樹脂アングル１６や中間樹脂枠１７が伸縮することを抑制できる。
【００３０】
また、図４乃至図６において、下部樹脂アングル２４が経時的に破損したり摩耗したりした場合でも容易に交換できる。即ち、下部樹脂アングル２４を額縁２２に固定した固定ボルト４５を外して、ヒレ部４６を有する先端を上方に持ち上げると、当接片４９の先端が屋内側壁面１９ａに当接しているため弾性変形する。すると係止片４８も変形して屋内側壁面１９ａの係合受け部１９ｃから外れるため、容易に下部樹脂アングル２４を取り外すことができる。そして、新しい下部樹脂アングル２４を上述の操作と逆の操作で取り付けて固定ボルト４５で額縁２２に固定すればよい。
また、上部樹脂アングル１６についても、同様に先端片１６ｃを引っ張ることで当接片３９を弾性変形させて係止片３８を係合受け部３７から外せばよい。
【００３１】
また、図１及び図４において、内側レール２１の屋内側において、内障子７の金属下框１１ａに金属下枠１９の屋内側壁面１９ａに設けたシール部材４４が当接して気密状態に保持している。そして、下部樹脂アングル２４のヒレ部４６も金属下框１１ａに当接して気密状態に保持している。また、外側レール２０の屋内側において、外障子８の金属下框１１ａに金属下枠１９の受け部１９ｄに設けたシール部材４４Ａが当接して気密状態に保持されている。
そのため、雨水等が引き違い窓１に吹き付けたとしても内障子７や外障子８の金属下枠１９における屋外側壁面１１ｃで水切りされて屋内側に流入する雨水は少ない。しかも内障子７と外障子８のシール部材４４、４４Ａは内側レール２１、外側レール２０の屋内側に設置されているため、外気圧と内気圧の差圧によって雨水がシール部材４４、４４Ａを介して屋内側に流入することを防止できる。
【００３２】
上述のように本実施形態による引き違い窓１によれば、下枠３の下部樹脂アングル２４と上枠２の上部樹脂アングル１６は、屋内側壁面１９ａ、屋内側垂下片部１５ｄの屋内側に係止片４８、３８と当接片４９、３９を設けたため、屋外側の先端を引き剥がすことで弾性変形させて容易に取り外しと取り付けを行える。しかも、当接片４９、３９によって係止片４８、３８との間や、屋内側壁面１９ａ、屋内側垂下片部１５ｄとの間に断熱層を形成できる。
また、下枠３において、内障子７及び外障子８の各金属下枠１９は内側レール２１、外側レール２０の屋内側にシール部材４４、４４Ａを設けたため、高層ビルの中高層階等であっても下枠３に吹き込んだ雨水等が内外の気圧差で屋内側に浸入することを防止できる。
【００３３】
なお、本発明による引き違い窓１は、上述した実施形態に限定されるものではなく、本発明の要旨を逸脱しない範囲で適宜の変更や置換等が可能である。以下に、本発明の他の実施形態や変形例等について説明するが、上述した実施形態で説明した部品や部材等と同一または同様なものについては同一の符号を用いて説明を省略する。
【００３４】
上述した実施形態において、下部樹脂アングル２４や上部樹脂アングル１６の当接片４９、３９は金属下枠１９の屋内側壁面１９ａや金属上枠１５の屋内側垂下片部１５ｄに当接するまで延ばして形成したが、係止片３８、４８を覆うように長く延びて断熱性を確保できれば非接触でもよい。この場合でも下部樹脂アングル２４や上部樹脂アングル１６を取り出す際に弾性変形させると、当接片４９、３９は屋内側壁面１９ａや金属上枠１５の屋内側垂下片部１５ｄに当接する。
また、下部樹脂アングル２４と屋内側壁面１９ａや上部樹脂アングル１６と屋内側垂下片部１５ｄに係止片４８、３８と係合受け部１９ｃ、３７をそれぞれ設けたが、係止片４８、３８と係合受け部１９ｃ、３７の配置を逆に設定してもよい。この場合、下部樹脂アングル２４や上部樹脂アングル１６に係合受け部１９ｃ、３７を設けることになる。
【００３５】
また、上述した各実施形態では気密材を形成するシール部材４４、４４Ａ、３６を屋内側壁面１９ａ、金属下枠１９、屋内側垂下片部１５ｄに設けて内外障子７，８の下框１１、上框１０に当接させるようにしたが、これとは逆に下框１１や上框１０にシール部材４４、４４Ａ、３６を取り付けて屋内側壁面１９ａ、金属下枠１９、屋内側垂下片部１５ｄに当接させてシールするようにしてもよい。
【００３６】
また、上述の実施形態では、下部樹脂アングル２４を固定ボルト４５で固定する額縁２２を設けたが、下部樹脂アングル２４を固定できれば他の部材でもよく、これらの部材は躯体であり、本発明の屋内側部材に含まれる。
また、上部樹脂アングル１６における断熱層４２の形状は断熱効果を発揮できるものであればよく、他の適宜の構成を採用できる。例えば、断熱層４２として断面コの字状や中空のホロー部形状に代えて、中空部を樹脂で充填した中実の断面四角形状やその他の断面形状等でもよいし、或いは上框１０の樹脂上框１０ｂに対向して略Ｚ字状の断面形状を有していてもよい。また、内側樹脂枠１８は必ずしも設置しなくてもよい。
【００３７】
なお、上述した実施形態では下部樹脂アングル２４、上部樹脂アングル１６を樹脂で形成したが、弾性変形可能であればアルミ合金等の金属製でもよく、これらは本発明のアングルに含まれる。
また、本発明は引き違い窓１に限定されることなく、片引き障子等の各種の複合建具や金属製の建具等に適用できる。また、本発明はビルだけでなく一般住宅等にも適用できる。
【符号の説明】
【００３８】
１  引き違い窓
２  上枠
７  内障子
８  外障子
１０  上框
１１  下框
１０ａ  金属上框
１０ｂ  樹脂上框
１５  金属上枠
１５ｄ  屋内側垂下片部
１６  上部樹脂アングル
１６ｃ、１７ａ  先端片
１９  金属下枠
１９ａ  屋内側壁面
１９ｃ  係合受け部
２２  額縁
２４  下部樹脂アングル
３６，３６Ａ  シール部材
３８，４８  係止片
３９，４９  当接片
４０、４６  ヒレ部
【図１】
2020073787.tif 000003
【図２】
2020073787.tif 000004
【図３】
2020073787.tif 000005
【図４】
2020073787.tif 000006
【図５】
2020073787.tif 000007
【図６】
2020073787.tif 000008
【図７】
2020073787.tif 000009
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
障子を納める枠体と、
前記枠体及び屋内側部材の間に形成された間隙に設置したアングルと、を備え、
前記アングルは、樹脂製であり、前記障子の框体に向かって延びるヒレ部を有していることを特徴とする建具。
【請求項２】
前記ヒレ部は、前記框体に当接している請求項１に記載の建具。
【請求項３】
前記ヒレ部は、前記アングルと一体形成されており、該アングルの他の部位よりも軟質で弾性変形可能な樹脂で形成されている請求項１または請求項２に記載の建具。
【請求項４】
前記アングルは、前記枠体の屋内側に該枠体を覆うように設けられ、
前記間隙内には、前記枠体と前記アングルの一方に設けた係止部と他方に設けた係合受け部とを互いに係合して配設した請求項１から請求項３のいずれか一項に記載の建具。
【請求項５】
前記アングルは該アングルに設けた係止部または係合受け部の見込み方向屋内側に前記係止部または係合受け部を囲うように延びて、前記枠体に当接する当接部を備えた請求項１から請求項４のいずれか一項に記載の建具。
【請求項６】
前記枠体と障子の一方に他方に当接する気密材を設けた請求項１から請求項５のいずれか一項に記載の建具。
【手続補正２】
【補正対象書類名】明細書
【補正対象項目名】０００８
【補正方法】変更
【補正の内容】
【０００８】
本発明による建具は、障子を納める枠体と、前記枠体及び屋内側部材の間に形成された間隙に設置したアングルと、を備え、前記アングルは、樹脂製であり、前記障子の框体に向かって延びるヒレ部を有していることを特徴とする。
【手続補正３】
【補正対象書類名】明細書
【補正対象項目名】０００９
【補正方法】変更
【補正の内容】
【０００９】
また、前記ヒレ部は、前記框体に当接していてもよい。
また、前記ヒレ部は、前記アングルと一体形成されており、該アングルの他の部位よりも軟質で弾性変形可能な樹脂で形成されていてもよい。
【手続補正４】
【補正対象書類名】明細書
【補正対象項目名】００１０
【補正方法】変更
【補正の内容】
【００１０】
また、前記アングルは、前記枠体の屋内側に該枠体を覆うように設けられ、前記間隙内には、前記枠体と前記アングルの一方に設けた係止部と他方に設けた係合受け部とを互いに係合して配設していてもよい。
また、前記アングルは該アングルに設けた係止部または係合受け部の見込み方向屋内側に前記係止部または係合受け部を囲うように延びて、前記枠体に当接する当接部を備えていてもよい。
【手続補正５】
【補正対象書類名】明細書
【補正対象項目名】００１１
【補正方法】変更
【補正の内容】
【００１１】
また、前記枠体と障子の一方に他方に当接する気密材を設けていてもよい。